(57)【要約】レンズ駆動装置（１５０）は、（i）対物レンズ（３１）を有すると共に、（ii）駆動制御用のコイル（８０、９０等）が、側面に取り付けられたレンズホルダ（３０）を備えるレンズ駆動装置であって、コイルの接着面、又は、側面は、接着剤が流れる方向を規制する凹凸部（８１等）が形成された凹凸面であり、コイルと、レンズホルダとは、この凹凸面を介して接着剤によって一体成形されている。
2008023433.tif 000002
【特許請求の範囲】
【請求項１】
（i）対物レンズを有すると共に、（ii）駆動制御用のコイルが、側面に取り付けられたレンズホルダを少なくとも備えるレンズ駆動装置であって、
前記コイルの接着面、及び、前記側面のうちいずれか一方は、流動性の接着剤が流れる方向を規制する凹凸部が形成された凹凸面であり、
前記コイルと、前記レンズホルダとは、前記凹凸面を介して前記接着剤によって一体成形されていることを特徴とするレンズ駆動装置。
【請求項２】
前記凹凸面の凹凸形状パターンは、（i）前記接着剤が注入される位置、（ii）前記接着剤が注入される方向、又は、（iii）前記接着剤が、一体成形される際に流れる方向に基づいて規定されることを特徴とする請求の範囲第１項に記載のレンズ駆動装置。
【請求項３】
前記凹凸面の凹凸形状パターンは、前記レンズホルダが駆動するトラッキング方向、フォーカシング方向、又は、チルト方向に基づいて規定されることを特徴とする請求の範囲第１項に記載のレンズ駆動装置。
【請求項４】
前記凹凸面は、（i）トラッキング方向に沿って相対的に長い形状の第１凸部、及び（ii）フォーカシング方向に沿って相対的に長い形状の第２凸部が形成されていることを特徴とする請求の範囲第１項に記載のレンズ駆動装置。
【請求項５】
前記凹凸面は、（i）トラッキング方向に沿って相対的に長い形状の第１凸部、及び（ii）当該凹凸面を、前記対物レンズの光軸と略平行にするための第２凸部が形成されていることを特徴とする請求の範囲第１項に記載のレンズ駆動装置。
【請求項６】
光軸の方向を基準にして線対称
前記凹凸面は、（i）トラッキング方向に沿って略中央部に位置する凸部、及び（ii）前記凸部を挟んで形成される２つの凹部が形成されていることを特徴とする請求の範囲第１項に記載のレンズ駆動装置。
【請求項７】
前記凹凸面は、感光樹脂が２重に塗布された、前記コイルの接着面、又は、前記側面において、照射するレーザ光の位置及び光強度を異ならせるマスキング処理及びエッチング処理に基づいて、形成されることを特徴とする請求の範囲第１項に記載のレンズ駆動装置。
【請求項８】
（i）対物レンズを有すると共に、（ii）駆動制御用のコイルが、側面に取り付けられたレンズホルダを少なくとも備えるレンズ駆動装置の製造方法であって、
前記コイルの接着面、及び、前記側面のうちいずれか一方を、流動性の接着剤が流れる方向を規制する凹凸部が形成された凹凸面として形成する凹凸形成工程と、
前記コイルと、前記レンズホルダとを、前記凹凸面を介して前記接着剤によって一体成形する一体成形工程と、
を備えることを特徴とするレンズ駆動装置の製造方法。
【請求項９】
前記凹凸形成工程は、（i）感光樹脂を２重に塗布する塗布工程、（ii）照射するレーザ光の位置及び光強度を異ならせるマスキング工程、及び、（iii）エッチング工程に基づいて、前記凹凸面を形成することを特徴とする請求の範囲第８項に記載のレンズ駆動装置の製造方法。
【発明の詳細な説明】
【技術分野】
【０００１】
本発明は、ディスク状の記録媒体に情報を記録したり、記録された情報を読み取るディスクプレーヤのレンズ駆動装置の構造、及び、レンズ駆動装置の製造方法に関する。
【背景技術】
【０００２】
光学的に情報を記録したディスクから情報を読み取る際に、読み取りビームをディスク面に集束させるために対物レンズをレンズ光軸方向（フォーカス方向）に駆動させたり、読み取りビームを情報トラックに追従させるため対物レンズをレンズ光軸方向と直角方向（トラッキング方向）に駆動させたり、読み取りビームの光軸をディスク面に対して垂直に照射させるために対物レンズをディスク面のそり方向（チルト方向）に駆動させたりする、レンズ駆動装置が知られている。このようなレンズ駆動装置の一例が、特許文献１等に記載されている。このレンズ駆動装置は、フォーカスコイルとトラッキングコイルをパターンニング及びエッチングして形成した平面状のコイル基板を、対物レンズを内蔵するレンズホルダの両側面に接着剤によって固定したプリントコイルタイプのものである。【０００３】
【特許文献１】特開２００１−２２９５５７号公報
【特許文献２】特開２００６−３１７５９号公報
【発明の開示】
【発明が解決しようとする課題】
【０００４】
しかしながら、上述したようなレンズ駆動装置において、コイルと、レンズホルダの両側面とを一体成形する際に、接着剤の流れる方向が規制されない場合、コイルの接着面と、レンズホルダの側面との間において、接着剤の流れる方向や、接着剤の分布や、接着剤の厚みにおいてばらつきが発生してしまうという技術的な問題点が生じる。よって、一体成形されたレンズホルダに駆動力が与えられた場合、例えばフォーカス方向に対応したピッチング共振（２次共振）等の振動に対する影響が大きくなってしまい、ひいては、サーボ制御の品質が低下し、ディスク状の記録媒体に対する信号の読み書きの品質が悪化してしまうという技術的な問題点が生じる。【０００５】
本発明は、上述した従来の問題点に鑑みなされたものであり、コイルと、レンズホルダの側面と一体成形を、より適切に行うことが可能なレンズ駆動装置、及びレンズ駆動装置の製造方法を提供することを課題とする。
【課題を解決するための手段】
【０００６】
上記課題を解決するために、請求項１に記載のレンズ駆動装置は、（i）対物レンズを有すると共に、（ii）駆動制御用のコイルが、側面に取り付けられたレンズホルダを少なくとも備えるレンズ駆動装置であって、前記コイルの接着面、及び、前記側面のうちいずれか一方は、流動性の接着剤が流れる方向を規制する凹凸部が形成された凹凸面であり、前記コイルと、前記レンズホルダとは、前記凹凸面を介して前記接着剤によって一体成形されている。【０００７】
上記課題を解決するために、請求項８に記載のレンズ駆動装置の製造方法は、（i）対物レンズを有すると共に、（ii）駆動制御用のコイルが、側面に取り付けられたレンズホルダを少なくとも備えるレンズ駆動装置の製造方法であって、前記コイルの接着面、及び、前記側面のうちいずれか一方を、流動性の接着剤が流れる方向を規制する凹凸部が形成された凹凸面として形成する凹凸形成工程と、前記コイルと、前記レンズホルダとを、前記凹凸面を介して前記接着剤によって一体成形する一体成形工程と、を備える。【０００８】
本発明の作用及び他の利得は次に説明する実施の形態から明らかにされよう。
【発明を実施するための最良の形態】
【０００９】
以下、発明を実施するための最良の形態としての本発明の実施形態に係るレンズ駆動装置、及び、レンズ駆動装置の製造方法について順に説明する。【００１０】
（レンズ駆動装置の実施形態）
本発明のレンズ駆動装置に係る実施形態は、（i）対物レンズを有すると共に、（ii）駆動制御用のコイルが、側面に取り付けられたレンズホルダを少なくとも備えるレンズ駆動装置であって、前記コイルの接着面、及び、前記側面のうちいずれか一方は、流動性の接着剤が流れる方向を規制する凹凸部が形成された凹凸面であり、前記コイルと、前記レンズホルダとは、前記凹凸面を介して前記接着剤によって一体成形されている。【００１１】
本発明のレンズ駆動装置に係る実施形態によれば、一般的に、一対のマグネットを所定の間隔をもって対向配置することにより、一対のマグネットの間に磁界（磁場）が形成される。この磁界内で、対物レンズを有するレンズホルダの側面に取り付けられた、例えばＦＰ（Fine Pattern）コイル等のコイルに通電することにより、レンズ駆動装置の支持部に固定された一対の線状の弾性部材に保持されたレンズホルダが傾斜すると共に、例えばフォーカス方向及びトラッキング方向に移動する。【００１２】
特に、本実施形態では、コイルの接着面、及び、レンズホルダの側面のうちいずれか一方は、流動性の接着剤が流れる方向を規制する凹凸部が形成された凹凸面であり、このコイルと、このレンズホルダとは、この凹凸面を介して接着剤によって一体成形されている。【００１３】
仮に、対物レンズ駆動装置において、コイルと、レンズホルダの側面とを一体成形する際に、接着剤の流れる方向が規制されない場合、コイルの接着面と、レンズホルダの側面との間において、接着剤の流れる方向や、接着剤の分布や、接着剤の厚みにおいてばらつきが発生してしまう。よって、一体成形されたレンズホルダに駆動力が与えられた場合、例えばフォーカス方向に対応したピッチング共振（２次共振）等の振動に対する影響が大きくなってしまう。【００１４】
これに対して、本実施形態では、コイルと、レンズホルダの側面との一体成形に際して、接着剤の流れる方向が規制されているので、フォーカス方向、トラッキング方向、又は、チルト方向の駆動力が、一体成形されたレンズホルダに与えられても、例えばピッチング共振等の振動に影響されることを、より効果的に低減又は解消することが可能である。以上の結果、サーボ制御の品質の向上に加えて、ディスク状の記録媒体に対する信号の読み書きの品質の向上を実現することができる。【００１５】
本発明のレンズ駆動装置に係る実施形態の一の態様は、前記凹凸面の凹凸形状パターンは、（i）前記接着剤が注入される位置、（ii）前記接着剤が注入される方向、又は、（iii）前記接着剤が、一体成形される際に流れる方向に基づいて規定される。【００１６】
この態様によれば、コイルと、レンズホルダの側面との一体成形に際して、接着剤の流れる方向が、上述した凹凸形状パターンに基づいて、規制されている。従って、フォーカス方向、トラッキング方向、又は、チルト方向の駆動力が、一体成形されたレンズホルダに与えられても、例えばピッチング共振等の振動に影響されることを、より効果的に低減又は解消することが可能である。【００１７】
本発明のレンズ駆動装置に係る実施形態の他の態様は、前記凹凸面の凹凸形状パターンは、前記レンズホルダが駆動するトラッキング方向、フォーカシング方向、又は、チルト方向に基づいて規定される。【００１８】
この態様によれば、凹凸形状パターンは、例えばトラッキング方向、フォーカシング方向、又は、チルト方向を基準として必要とされる接着剤の分量（即ち、接着力）に基づいて、規定される。従って、フォーカス方向、トラッキング方向、又は、チルト方向の駆動力が、一体成形されたレンズホルダに与えられても、例えばピッチング共振等の振動に影響されることを、より効果的に低減又は解消することが可能である。【００１９】
本発明のレンズ駆動装置に係る実施形態の他の態様は、前記凹凸面は、（i）トラッキング方向に沿って相対的に長い形状の第１凸部、及び（ii）フォーカシング方向に沿って相対的に長い形状の第２凸部が形成されている。【００２０】
この態様によれば、コイルと、レンズホルダの側面との一体成形に際して、接着剤の流れる方向が、上述した第１凸部及び第２凸部に基づいて、規制されている。従って、フォーカス方向、トラッキング方向、又は、チルト方向の駆動力が、一体成形されたレンズホルダに与えられても、例えばピッチング共振等の振動に影響されることを、より効果的に低減又は解消することが可能である。【００２１】
本発明のレンズ駆動装置に係る実施形態の他の態様は、前記凹凸面は、（i）トラッキング方向に沿って相対的に長い形状の第１凸部、及び（ii）当該凹凸面を、前記対物レンズの光軸と略平行にするための第２凸部が形成されている。【００２２】
この態様によれば、例えば第１凸部と略同一の厚さを有する第２凸部に基づいて、凹凸面を、対物レンズの光軸と平行にさせて、外界からの力が加わっていない状態で、一体成形されたレンズホルダを光軸に対して略垂直に保持することができる。この結果、一体成形されたレンズホルダを光軸に対して、略垂直にするための動力を省力することが可能であり、各種のサーボ制御を行うためにコイルに流す制御電流の消費電力を効果的に抑制することが可能である。【００２３】
本発明のレンズ駆動装置に係る実施形態の他の態様は、前記凹凸面は、（i）トラッキング方向に沿って略中央部に位置する凸部、及び（ii）前記凸部を挟んで形成される２つの凹部が形成されている。【００２４】
この態様によれば、略線対称に配置された、中央部に位置する凸部、及び、左右両側に位置する凹部に基づいて、線対称の位置で注入される接着剤が、無秩序に拡散して流れることを効果的に規制することができる。この結果、レンズホルダを、線対称の位置で注入される接着剤に基づいて、より接着面を大きくさせると共に、接着剤の流れる方向をより高精度に規制させ、一体成形する際の、接着力をより大きくさせることが可能である。【００２５】
本発明のレンズ駆動装置に係る実施形態の他の態様は、前記凹凸面は、感光樹脂（フォトレジスト）が２重に塗布された、前記コイルの接着面、又は、前記側面において、照射するレーザ光の位置及び光強度を異ならせるマスキング処理及びエッチング処理に基づいて、形成される。【００２６】
この態様によれば、感光樹脂が２重に塗布された凹凸面における、マスキング処理及びエッチング処理に基づいて、凹凸部を、より高精度に形成することが可能である。【００２７】
（レンズ駆動装置の製造方法の実施形態）
本発明のレンズ駆動装置の製造方法に係る実施形態は、（i）対物レンズを有すると共に、（ii）駆動制御用のコイルが、側面に取り付けられたレンズホルダを少なくとも備えるレンズ駆動装置の製造方法であって、前記コイルの接着面、及び、前記側面のうちいずれか一方を、流動性の接着剤が流れる方向を規制する凹凸部が形成された凹凸面として形成する凹凸形成工程と、前記コイルと、前記レンズホルダとを、前記凹凸面を介して前記接着剤によって一体成形する一体成形工程と、を備える。【００２８】
本発明のレンズ駆動装置の製造方法に係る実施形態によれば、先ず、凹凸形成工程によって、駆動制御用のコイルの接着面、及び、レンズホルダの側面のうちいずれか一方が、流動性の接着剤が流れる方向を規制する凹凸部が形成された凹凸面として形成される。【００２９】
次に、一体成形工程によって、駆動制御用のコイルと、レンズホルダとを、上述の凹凸面を介して接着剤によって一体成形される。【００３０】
この結果、駆動制御用のコイルと、レンズホルダとが、流動性の接着剤が流れる方向を規制する凹凸部が形成された凹凸面を介して接着剤によって一体成形されているレンズホルダを備えるレンズ駆動装置を、簡便且つ適切に製造することが可能となる。【００３１】
尚、上述した本発明のレンズ駆動装置に係る実施形態が有する各種態様に対応して、本発明のレンズ駆動装置の製造方法に係る実施形態も各種の態様を採ることが可能である。【００３２】
本発明のレンズ駆動装置の製造方法に係る実施形態の一の態様は、前記凹凸形成工程は、（i）感光樹脂（フォトレジスト）を２重に塗布する塗布工程、（ii）照射するレーザ光の位置及び光強度を異ならせるマスキング工程、及び、（iii）エッチング工程に基づいて、前記凹凸面を形成する。【００３３】
この態様によれば、凹凸形成工程は、上述の凹凸面の凹凸形状パターンを形成するために、時系列に沿った、次の３つの工程によって構成されている。即ち、先ず（i）塗布工程によって、駆動制御用のコイルの接着面、及び、レンズホルダの側面のうちいずれか一方において、感光樹脂（例えばフォトレジスト）が２重に塗布される。次に（ii）マスキング工程によって、例えばフォトマスクの手法に基づいて照射するレーザ光の位置を異ならせると共に、光強度を異ならせ、レーザ光が照射された位置又は領域において、２重に塗布されたフォトレジストのうち外側の２層目のフォトレジストが露光される。次に（iii）エッチング工程によって、現像液に浸されることによって、凹凸面が形成される。【００３４】
以上の結果、駆動制御用のコイルと、レンズホルダとが、流動性の接着剤が流れる方向を規制する凹凸部が形成された凹凸面を介して接着剤によって一体成形されているレンズ駆動装置を、より簡便且つ高精度に製造することが可能となる。【００３５】
本発明のこのような作用及び他の利得は次に説明する実施例から更に明らかにされる。【００３６】
以上説明したように、本発明のレンズ駆動装置に係る実施形態によれば、（i）対物レンズを有すると共に、（ii）駆動制御用のコイルが、側面に取り付けられたレンズホルダを少なくとも備えるレンズ駆動装置であって、コイルの接着面、及び、側面のうちいずれか一方は、凹凸面であり、コイルと、レンズホルダとは、この凹凸面を介して接着剤によって一体成形されている。この結果、コイルと、レンズホルダの側面との一体成形に際して、接着剤の流れる方向が規制されているので、フォーカス方向、トラッキング方向、又は、チルト方向の駆動力が、一体成形されたレンズホルダに与えられても、例えばピッチング共振等の振動に影響されることを、より効果的に低減又は解消することが可能である。以上の結果、サーボ制御の品質の向上に加えて、ディスク状の記録媒体に対する信号の読み書きの品質の向上を実現することができる。【００３７】
また、本発明のレンズ駆動装置の製造方法に係る実施形態によれば、凹凸形成工程、及び、一体成形工程を備える。この結果、駆動制御用のコイルと、レンズホルダとが、流動性の接着剤が流れる方向を規制する凹凸部が形成された凹凸面を介して接着剤によって一体成形されているレンズホルダを備えるレンズ駆動装置を、簡便且つ適切に製造することが可能となる。
【図面の簡単な説明】
【００３８】
【図１】本発明の実施例にかかるレンズ駆動装置１５０の基本構成を示した平面図（図１（ａ））、及び側面図（図１（ｂ））である。
【図２】本実施例に係るコイルの接着面、及び、レンズホルダの側面のうちいずれか一方に形成された凹凸形状パターンを図式的に示した平面図（図２（ａ））、並びに、比較例に係るコイルの接着面、及び、レンズホルダの側面のうちいずれか一方を図式的に示した平面図（図２（ｂ））である。
【図３】本実施例の変形例に係るコイルの接着面、及び、レンズホルダの側面のうちいずれか一方に形成された凹凸形状パターンを図式的に示した一及び他の平面図（図３（ａ）、及び、図３（ｂ））である。
【図４】本発明のレンズ駆動装置を製造する製造手順を時系列に沿って、図式的に示した模式図である。
【符号の説明】
【００３９】
１０  アクチュエータベース
１１、１２  マグネット
２０  支持ベース
２１  支持ワイヤ
２２ａ  引出部
２２ｂ  接続部
３０  レンズホルダ
８０、９０  コイル基板
１００  可動部
【実施例】
【００４０】
以下、図面を参照して本発明の好適な実施の形態について説明する。【００４１】
（１）基本構成  
次に、図１を参照して、本発明の実施例にかかるレンズ駆動装置１５０の基本構成について説明する。【００４２】
（１−１）全体的な構成  
先ず、図１を参照しつつレンズ駆動装置１５０の全体的な構成について説明する。ここに、図１は、本発明の実施例にかかるレンズ駆動装置１５０の基本構成を示した平面図（図１（ａ））、及び側面図（図１（ｂ））である。【００４３】
図１（ａ）及び図１（ｂ）に示されるように、本発明の実施例によるレンズ駆動装置１５０においては、板状のアクチュエータベース１０上に、磁場形成用のマグネット１１又は１２を固定した一対のＬ状のヨーク１３が所定の磁気ギャップを設けて対向配置され、アクチュエータベース１０に対して複数のネジ１４で固定されている。また、アクチュエータベース１０上に支持ベース２０がネジ１４により固定されており、支持ベース２０の４本の支持ワイヤ２１が可動部１００をマグネット１１と１２に挟まれる位置において、傾斜可能であると共に、上下及び左右方向に移動可能に支持している。【００４４】
可動部１００は、内部に対物レンズ３１を収納した略方形状のレンズホルダ３０と、マグネット１１と対向するレンズホルダ３０のジッタ（図中矢印Ｊ）方向の側面に接着剤等で固定されたコイル基板８０と、マグネット１２と対向するレンズホルダ３０のジッタ方向の側面に接着剤等で固定されたコイル基板９０とを備える。レンズホルダ３０のトラッキング（図中矢印Ｔ）方向に突出して形成された４本の保持部３２ａ、３２ｂが４本の支持ワイヤ２１で支持され、これにより可動部１００は、傾斜可能であると共に、フォーカス（図中矢印Ｆ）方向及びトラッキング方向に移動可能に支持されている。【００４５】
支持ワイヤ２１は、導電性の棒状又は板状の弾性部材で構成され、一方端が圧延拡大して引出部２２ａが形成され、支持ベース２０の成形時に支持ワイヤ２１の一部がアウトサート成形等により、支持ベース２０の内部で、一体的に、成形される。また、支持ワイヤ２１の他方端は、同様に、圧延拡大されて接続部２２ｂが形成され、レンズホルダ３０に設けられた４本の保持部３２ａ、３２ｂに接着剤等で固定される。【００４６】
マグネット１１及び１２を所定の間隔をもって対向配置することにより、マグネット１１と１２の間に磁場（磁界）が形成される。この磁界内で、レンズホルダ３０に固定されたコイル基板８０及び９０上の、チルト制御用、フォーカス制御用、及びトラッキング制御用のコイルに通電することにより、可動部１００が傾斜すると共に、フォーカス方向及びトラッキング方向に移動する。【００４７】
（２）本実施例に係る詳細構成と、作用及び効果との検討  
次に、図２を参照して、本実施例に係る詳細構成と、作用及び効果の検討とについて説明する。ここに、図２は、本実施例に係るコイルの接着面、及び、レンズホルダの側面のうちいずれか一方に形成された凹凸形状パターンを図式的に示した平面図（図２（ａ））、並びに、比較例に係るコイルの接着面、及び、レンズホルダの側面のうちいずれか一方を図式的に示した平面図（図２（ｂ））である。尚、図２及び後述される図３において、矢印で示されるように、上下側方向はフォーカス方向を示し、左右方向は、トラッキング方向を示す。また、図２及び後述される図３において、一例として、コイル基板の接着面において、凸部８１が形成されていてもよいし、レンズホルダ３０の側面において、凸部８１が形成されていてもよい。【００４８】
具体的には、図２（ａ）に示されるように、コイルの接着面、及び、レンズホルダの側面のうちいずれか一方に形成された、コの字の形状をしたトラッキング方向に相対的に長い凸部８１に基づいて、左右両側の２箇所の、フォーカス方向の上側から下側へ向かって夫々注入される接着剤が、中央部へ向かって無秩序に拡散して流れることが規制される。【００４９】
仮に、図２（ｂ）に示されるように、対物レンズ駆動装置において、コイルと、レンズホルダの側面と一体成形に際して、接着剤の流れる方向が規制されない場合、コイルの接着面と、レンズホルダの側面との間において、接着剤の流れる方向や、接着剤の分布や、接着剤の厚みにおいてばらつきが発生してしまう。よって、一体成形されたレンズホルダに駆動力が与えられた場合、例えばフォーカス方向に対応したピッチング共振（２次共振）等の振動に対する影響が大きくなってしまう。【００５０】
これに対して、本実施例では、コイルと、レンズホルダの側面との一体成形に際して、コの字の形状をした凸部８１に基づいて、接着剤の流れる方向が規制されているので、フォーカス方向、トラッキング方向、又は、チルト方向の駆動力が、一体成形されたレンズホルダに与えられても、例えばピッチング共振等の振動に影響されることを、より効果的に低減又は解消することが可能である。以上の結果、サーボ制御の品質の向上に加えて、ディスク状の記録媒体に対する信号の読み書きの品質の向上を実現することができる。【００５１】
（３）変形例  
次に、図３を参照して、本実施例の変形例について説明する。ここに、図３は、本実施例の変形例に係るコイルの接着面、及び、レンズホルダの側面のうちいずれか一方に形成された凹凸形状パターンを図式的に示した一及び他の平面図（図３（ａ）、及び、図３（ｂ））である。【００５２】
本実施例の一の変形例においては、図３（ａ）に示されるように、コイル基板８０の接着面に、細長い長方形の形状をした２つの凸部８２ａ及び８２ｂが形成される。従って、この凸部８２ａ及び８２ｂに基づいて、左右両側の２箇所の、フォーカス方向の上側から下側へ向かって夫々注入される接着剤が、略中央部へ向かって無秩序に拡散して流れることを効果的に規制することができる。【００５３】
特に、フォーカス方向の下側に位置する凸部８２ｂは、フォーカス方向の上側に位置する凸部８２ａと略同一の厚さをしていることが好ましい。従って、コイルの接着面、及び、レンズホルダの側面を、対物レンズの光軸と平行にさせて、外界からの力が加わっていない状態で、一体成形されたレンズホルダを光軸に対して略垂直に保持することができる。この結果、一体成形されたレンズホルダを光軸に対して、略垂直にするための動力を省力することが可能であり、各種のサーボ制御を行うためにコイルに流す制御電流の消費電力を効果的に抑制することが可能である。【００５４】
本実施例の他の変形例においては、図３（ｂ）に示されるように、コイル基板８０の接着面に形成された、長方形の形状をした複数の凸部８３ａ、８３ｂ、８３ｃ及び８３ｄがフォーカス方向に略線対称で配置される。従って、この凸部８３ａ、８３ｂ、８３ｃ及び８３ｄに基づいて、中央部と、左右両側との３箇所において、フォーカス方向の上側から下側へ向かって夫々注入される接着剤が、無秩序に拡散して流れることを効果的に規制することができる。この結果、レンズホルダを、分散された３箇所から注入された接着剤に基づいて、より接着面を大きくさせると共に、接着剤の流れる方向をより高精度に規制させ、一体成形する際の、接着力をより大きくさせることが可能である。詳細には、本願発明者による研究によれば、凹部、又は、凸部とを線対称に配置することで、接着面の隙間を通過する接着剤の流動性に基づいて発生する、毛細管現象を利用し、接着力を増大させることが可能であることも付記しておく。【００５５】
特に、フォーカス方向の下側に位置する凸部８３ｂ、８３ｄは、線対称で配置されていると共に、フォーカス方向の上側に位置する凸部８３ａ、８３ｃと略同一の厚さをしていることが好ましい。従って、コイルの接着面、及び、レンズホルダの側面を、対物レンズの光軸と平行にさせて、外界からの力が加わっていない状態で、一体成形されたレンズホルダを光軸に対して略垂直に保持することができる。【００５６】
（４）製造方法（製造手順）
次に、図４を参照して、本実施例に係るレンズ駆動装置の製造方法（製造手順）について、その作用と効果との検討を含めて説明する。ここに、図４は、本発明のレンズ駆動装置を製造する製造手順を時系列に沿って、図式的に示した模式図である。【００５７】
図４に示されるように、先ず、凹凸形成工程によって、流動性の接着剤が流れる方向を規制する凹凸部が形成された凹凸面における凹凸形状パターンを形成するために、先ず、塗布工程によって、駆動制御用のコイルの接着面、及び、レンズホルダの側面のうちいずれか一方において、感光樹脂（例えばフォトレジスト）が２重に塗布される。詳細には、図４中のステップ１（Ｓｔｅｐ１）に示されるように、１層目として、粘性のある感光樹脂が、滴下され均一な厚さで塗布されると共に、図４中のステップ２（Ｓｔｅｐ２）に示されるように、２層目として、再度、感光樹脂が、滴下され均一な厚さで塗布される。【００５８】
次に、マスキング工程によって、例えばフォトマスクの手法に基づいて照射するレーザ光の位置を異ならせると共に、光強度を異ならせ、レーザ光が照射された位置又は領域において、２重に塗布されたフォトレジストのうち外側の２層目のフォトレジストが露光される。【００５９】
次に、エッチング工程によって、現像液に浸されることによって、凹凸面が形成される。詳細には、図４中のステップ３（Ｓｔｅｐ３）に示されるように、例えば電子線や紫外線等のレーザ光が、フォトマスクによって遮断されない領域において、所定のレーザパワーで照射される。そして、図４中のステップ４（Ｓｔｅｐ４）に示されるように、上述したレーザ光が照射された部分は、光エネルギーによりフォトレジストが分子のレベルで結合が切られた状態になるので、現像液に浸されることによって、空間があいた状態となり、凹凸部のうち、凹部が形成される。特に、凹部における大きさは、レーザ光の照射位置の制御、レーザパワーの制御に加えて、レーザ光のビーム径によって決定可能である。また、凹部における深さは、レーザパワーに加えて、フォトレジストの厚さによって決定可能である。尚、レーザパワーは、フォトレジストの感度に適切に対応していることが望ましい。【００６０】
次に、図４中のステップ５（Ｓｔｅｐ５）に示されるように、一体成形工程によって、駆動制御用のコイルの接着面、及び、レンズホルダの側面のうちいずれか一方と、他方とを、上述した凹部において接着剤が注入されることによって一体成形される。【００６１】
以上の結果、本実施例によれば、駆動制御用のコイルと、レンズホルダとが、流動性の接着剤が流れる方向を規制する凹凸部が形成された凹凸面を介して接着剤によって一体成形されているレンズ駆動装置を、より簡便且つ高精度に製造することが可能となる。【００６２】
本発明は、上述した実施例に限られるものではなく、請求の範囲及び明細書全体から読み取れる発明の要旨或いは思想に反しない範囲で適宜変更可能であり、そのような変更を伴うレンズ駆動装置、及び、レンズ駆動装置の製造方法もまた本発明の技術的範囲に含まれるものである。
【産業上の利用可能性】
【００６３】
本発明に係るレンズ駆動装置、及び、レンズ駆動装置の製造方法は、例えば光ディスク等の情報記録媒体を再生するためのレンズ駆動装置、及び、レンズ駆動装置の製造方法に利用可能である。
【図１】
2008023433.tif 000003
【図２】
2008023433.tif 000004
【図３】
2008023433.tif 000005
【図４】
2008023433.tif 000006
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
（ｉ）対物レンズを有すると共に、（ｉｉ）駆動制御用のコイルが、側面に取り付けられたレンズホルダを少なくとも備えるレンズ駆動装置であって、
前記コイルの接着面、及び、前記側面のうちいずれか一方は、流動性の接着剤が流れる方向を規制する凹凸部が形成された凹凸面であり、
前記凹凸面における水平方向の両端部では、垂直方向の上側から下側へ向かって夫々注入される前記接着剤が、略中央部へ向かって流れることを規制する凹凸部が形成され、
前記コイルと、前記レンズホルダとは、前記凹凸面を介して前記接着剤によって一体成形されていることを特徴とするレンズ駆動装置。
【請求項２】
（削除）
【請求項３】
前記凹凸面の凹凸形状パターンは、前記レンズホルダが駆動するトラッキング方向、フォーカシング方向、又は、チルト方向に基づいて規定されることを特徴とする請求の範囲第１項に記載のレンズ駆動装置。
【請求項４】
前記凹凸面は、（ｉ）トラッキング方向に沿って相対的に長い形状の第１凸部、及び（ｉｉ）フォーカシング方向に沿って相対的に長い形状の第２凸部が形成されていることを特徴とする請求の範囲第１項に記載のレンズ駆動装置。
【請求項５】
前記凹凸面は、（ｉ）トラッキング方向に沿って相対的に長い形状の第１凸部、及び（ｉｉ）当該凹凸面を、前記対物レンズの光軸と略平行にするための第２凸部が形成されていることを特徴とする請求の範囲第１項に記載のレンズ駆動装置。
【請求項６】
前記凹凸面は、（ｉ）トラッキング方向に沿って略中央部に位置する凸部、及び（ｉｉ）前記凸部を挟んで形成される２つの凹部が形成されていることを特徴とする請求の範囲第１項に記載のレンズ駆動装置。
【請求項７】
前記凹凸面は、感光樹脂が２重に塗布された、前記コイルの接着面、又は、前記側面において、照射するレーザ光の位置及び光強度を異ならせるマスキング処理及びエッチング処理に基づいて、形成されることを特徴とする請求の範囲第１項に記載のレンズ駆動装置。
【請求項８】
（ｉ）対物レンズを有すると共に、（ｉｉ）駆動制御用のコイルが、側面に取り付けられたレンズホルダを少なくとも備えるレンズ駆動装置の製造方法であって、
前記コイルの接着面、及び、前記側面のうちいずれか一方を、流動性の接着剤が流れる方向を規制する凹凸部が形成された凹凸面として形成する凹凸形成工程と、
前記コイルと、前記レンズホルダとを、前記凹凸面を介して前記接着剤によって一体成形する一体成形工程と、
を備え、
前記凹凸形成工程は、前記凹凸面における水平方向の両端部で、垂直方向の上側から下側へ向かって夫々注入される前記接着剤が、略中央部へ向かって流れることを規制する凹凸部を形成することを特徴とするレンズ駆動装置の製造方法。
【請求項９】
前記凹凸形成工程は、（ｉ）感光樹脂を２重に塗布する塗布工程、（ｉｉ）照射するレーザ光の位置及び光強度を異ならせるマスキング工程、及び、（ｉｉｉ）エッチング工程に基づいて、前記凹凸面を形成することを特徴とする請求の範囲第８項に記載のレンズ駆動装置の製造方法。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
（i）対物レンズを有すると共に、（ii）駆動制御用のコイルが、側面に取り付けられたレンズホルダを少なくとも備えるレンズ駆動装置であって、
前記コイルの接着面、及び、前記側面のうちいずれか一方は、流動性の接着剤が流れる方向を規制する凹凸部が形成された凹凸面であり、
前記凹凸面における水平方向の両端部では、垂直方向の上側から下側へ向かって夫々注入される前記接着剤が、略中央部へ向かって流れることを規制する凹凸部が形成され、
前記コイルと、前記レンズホルダとは、前記凹凸面を介して前記接着剤によって一体成形されていることを特徴とするレンズ駆動装置。
【請求項２】
前記凹凸面の凹凸形状パターンは、前記レンズホルダが駆動するトラッキング方向、フォーカシング方向、又は、チルト方向に基づいて規定されることを特徴とする請求項１に記載のレンズ駆動装置。
【請求項３】
前記凹凸面は、（i）トラッキング方向に沿って相対的に長い形状の第１凸部、及び（ii）フォーカシング方向に沿って相対的に長い形状の第２凸部が形成されていることを特徴とする請求項１又は２に記載のレンズ駆動装置。
【請求項４】
前記凹凸面は、（i）トラッキング方向に沿って相対的に長い形状の第１凸部、及び（ii）当該凹凸面を、前記対物レンズの光軸と略平行にするための第２凸部が形成されていることを特徴とする請求項１から３のうちいずれか一項に記載のレンズ駆動装置。
【請求項５】
前記凹凸面は、（i）トラッキング方向に沿って略中央部に位置する凸部、及び（ii）前記凸部を挟んで形成される２つの凹部が形成されていることを特徴とする請求項１から４のうちいずれか一項に記載のレンズ駆動装置。
【請求項６】
前記凹凸面は、感光樹脂が２重に塗布された、前記コイルの接着面、又は、前記側面において、照射するレーザ光の位置及び光強度を異ならせるマスキング処理及びエッチング処理に基づいて、形成されることを特徴とする請求項１から５のうちいずれか一項に記載のレンズ駆動装置。
【請求項７】
（i）対物レンズを有すると共に、（ii）駆動制御用のコイルが、側面に取り付けられたレンズホルダを少なくとも備えるレンズ駆動装置の製造方法であって、
前記コイルの接着面、及び、前記側面のうちいずれか一方を、流動性の接着剤が流れる方向を規制する凹凸部が形成された凹凸面として形成する凹凸形成工程と、
前記コイルと、前記レンズホルダとを、前記凹凸面を介して前記接着剤によって一体成形する一体成形工程と、
を備え、
前記凹凸形成工程は、前記凹凸面における水平方向の両端部で、垂直方向の上側から下側へ向かって夫々注入される前記接着剤が、略中央部へ向かって流れることを規制する凹凸部を形成することを特徴とするレンズ駆動装置の製造方法。
【請求項８】
前記凹凸形成工程は、（i）感光樹脂を２重に塗布する塗布工程、（ii）照射するレーザ光の位置及び光強度を異ならせるマスキング工程、及び、（iii）エッチング工程に基づいて、前記凹凸面を形成することを特徴とする請求項７に記載のレンズ駆動装置の製造方法。
【国際調査報告】
2008023433.tif 000007
2008023433.tif 000008